(57)【要約】【課題】経路の把握が容易なネットワーク中継装置を提供する。【解決手段】ネットワーク管理システムは、パケットを端末に送信するネットワーク管理装置と、複数のポートと、各ポートの接続先の識別情報のリストを保持する保持部と、ネットワーク管理装置から端末に送信されたリスト要求パケットを検出する検出部と、リスト要求パケットが検出された場合に、リスト要求パケットを受信した第１ポート及びリスト要求パケットを送信した第２ポートの少なくとも一方のリストをネットワーク管理装置に送信する送信部と、を備えるネットワーク中継装置と、を備える。【選択図】図１
2019213048.tif 000002
【特許請求の範囲】
【請求項１】
パケットを端末に送信するネットワーク管理装置と、
複数のポートと、
前記各ポートの接続先の識別情報のリストを保持する保持部と、
前記ネットワーク管理装置から前記端末に送信されたリスト要求パケットを検出する検出部と、
前記リスト要求パケットが検出された場合に、前記リスト要求パケットを受信した第１ポート及び前記リスト要求パケットを送信した第２ポートの少なくとも一方の前記リストを前記ネットワーク管理装置に送信する送信部と、
を備えるネットワーク中継装置と、
を備える、ネットワーク管理システム。
【請求項２】
前記ネットワーク管理装置は、前記ネットワーク中継装置から受信した前記リストに基づいて、前記ネットワーク管理装置と前記端末との間の経路に寄与するポートを特定する特定部をさらに備える、
請求項１に記載のネットワーク管理システム。
【請求項３】
前記ネットワーク管理装置は、前記経路に寄与するポートの情報を表示する表示制御部をさらに備える、
請求項２に記載のネットワーク管理システム。
【請求項４】
前記ネットワーク中継装置は、
前記各ポートに対応して設けられたインジケータと、
前記ネットワーク管理装置から前記経路に寄与するポートの表示指令を受信した場合に、前記経路に寄与するポートに対応する前記インジケータを駆動する駆動部と、
をさらに備える、
請求項２または３に記載のネットワーク管理システム。
【請求項５】
前記ネットワーク管理装置は、
前記ネットワーク管理装置と前記端末との間のループバックテストにより前記ネットワーク管理装置と前記端末との間の経路の全体のデータ転送レートを取得する全体レート取得部と、
前記ネットワーク中継装置と前記ポートの接続先との間の区間のデータ転送レートを取得する区間レート取得部と、
前記全体のデータ転送レートと前記区間のデータ転送レートとを比較する転送レート比較部と、
をさらに備える、
請求項１ないし４の何れかに記載のネットワーク管理システム。
【請求項６】
複数のポートと、
前記各ポートの接続先の識別情報のリストを保持する保持部と、
ネットワーク管理装置から端末に送信されたリスト要求パケットを検出する検出部と、
前記リスト要求パケットが検出された場合に、前記リスト要求パケットを受信した第１ポート及び前記リスト要求パケットを送信した第２ポートの少なくとも一方の前記リストを前記ネットワーク管理装置に送信する送信部と、
を備える、ネットワーク中継装置。
【請求項７】
前記各ポートに対応して設けられたインジケータと、
前記ネットワーク管理装置により特定された前記経路に寄与するポートの表示指令を受信した場合に、前記経路に寄与するポートに対応する前記インジケータを駆動する駆動部と、
をさらに備える、
請求項６に記載のネットワーク中継装置。
【請求項８】
リスト要求パケットを端末に送信する送信部と、
ネットワーク中継装置が、前記リスト要求パケットを検出した場合に送信する、前記リスト要求パケットを受信した第１ポート及び前記リスト要求パケットを送信した第２ポートの少なくとも一方の接続先の識別情報のリストを受信する受信部と、
前記ネットワーク中継装置から受信した前記リストに基づいて、前記ネットワーク管理装置と前記端末との間の経路に寄与するポートを特定する特定部と、
を備える、ネットワーク管理装置。
【請求項９】
前記経路に寄与するポートの情報を表示する表示制御部をさらに備える、
請求項８に記載のネットワーク管理装置。
【請求項１０】
前記ネットワーク管理装置と前記端末との間のループバックテストにより前記経路の全体のデータ転送レートを取得する全体レート取得部と、
前記ネットワーク中継装置と前記ポートの接続先との間の区間のデータ転送レートを取得する区間レート取得部と、
前記全体のデータ転送レートと前記区間のデータ転送レートとを比較する転送レート比較部と、
をさらに備える、
請求項８または９に記載のネットワーク管理装置。
【請求項１１】
各ポートの接続先の識別情報のリストを保持し、
ネットワーク管理装置から端末に送信されたリスト要求パケットを検出し、
前記リスト要求パケットが検出された場合に、前記リスト要求パケットを受信した第１ポート及び前記リスト要求パケットを送信した第２ポートの少なくとも一方の前記リストを前記ネットワーク管理装置に送信する、
ネットワーク中継方法。
【請求項１２】
リスト要求パケットを端末に送信し、
ネットワーク中継装置が、前記リスト要求パケットを検出した場合に送信する、前記リスト要求パケットを受信した第１ポート及び前記リスト要求パケットを送信した第２ポートの少なくとも一方の接続先の識別情報のリストを受信し、
前記ネットワーク中継装置から受信した前記リストに基づいて、前記ネットワーク管理装置と前記端末との間の経路に寄与するポートを特定する、
ネットワーク管理方法。
【請求項１３】
ネットワーク中継装置のコンピュータを、
各ポートの接続先の識別情報のリストを保持する保持部、
ネットワーク管理装置から端末に送信されたリスト要求パケットを検出する検出部、及び、
前記リスト要求パケットが検出された場合に、前記リスト要求パケットを受信した第１ポート及び前記リスト要求パケットを送信した第２ポートの少なくとも一方の前記リストを前記ネットワーク管理装置に送信する送信部、
として機能させるためのプログラム。
【請求項１４】
ネットワーク管理装置のコンピュータを、
リスト要求パケットを端末に送信する送信部、
ネットワーク中継装置が、前記リスト要求パケットを検出した場合に送信する、前記リスト要求パケットを受信した第１ポート及び前記リスト要求パケットを送信した第２ポートの少なくとも一方の接続先の識別情報のリストを受信する受信部、及び、
前記ネットワーク中継装置から受信した前記リストに基づいて、前記ネットワーク管理装置と前記端末との間の経路に寄与するポートを特定する特定部、
として機能させるためのプログラム。
【発明の詳細な説明】
【技術分野】
【０００１】
本発明は、ネットワーク管理システム、ネットワーク中継装置、ネットワーク管理装置、ネットワーク中継方法、ネットワーク管理方法、及びプログラムに関する。
【背景技術】
【０００２】
特許文献１には、ハブやケーブルのような通信設備にＩＣタグを取り付けておき、ＩＣタグリーダによりＩＣタグが送信するタグＩＤを収集し、収集したタグＩＤに基づいて配線管理用データベースに記憶された情報を参照して通信設備を特定し、それをユーザに対して通知することが開示されている。
【先行技術文献】
【特許文献】
【０００３】
【特許文献１】特開２００４−３８５８３号公報
【発明の概要】
【発明が解決しようとする課題】
【０００４】
しかしながら、上記文献に開示された技術では、全ての通信設備にＩＣタグを取り付けたり、データベース上で関連付けたりする手間が煩雑である。また、複数のケーブルが密集するハブの近傍では、通知される情報と実際のケーブルとの対応関係を把握することが困難である。
【０００５】
本発明は、上記課題に鑑みてなされたものであり、その主な目的は、経路の把握が容易なネットワーク管理システム、ネットワーク中継装置、ネットワーク管理装置、ネットワーク中継方法、ネットワーク管理方法、及びプログラムを提供することにある。
【課題を解決するための手段】
【０００６】
上記課題を解決するため、本発明の一の態様のネットワーク管理システムは、パケットを端末に送信するネットワーク管理装置と、複数のポートと、前記各ポートの接続先の識別情報のリストを保持する保持部と、前記ネットワーク管理装置から前記端末に送信されたリスト要求パケットを検出する検出部と、前記リスト要求パケットが検出された場合に、前記リスト要求パケットを受信した第１ポート及び前記リスト要求パケットを送信した第２ポートの少なくとも一方の前記リストを前記ネットワーク管理装置に送信する送信部と、を備えるネットワーク中継装置と、を備える。
【０００７】
また、本発明の他の態様のネットワーク中継装置は、複数のポートと、前記各ポートの接続先の識別情報のリストを保持する保持部と、ネットワーク管理装置から端末に送信されたリスト要求パケットを検出する検出部と、前記リスト要求パケットが検出された場合に、前記リスト要求パケットを受信した第１ポート及び前記リスト要求パケットを送信した第２ポートの少なくとも一方の前記リストを前記ネットワーク管理装置に送信する送信部と、を備える。
【０００８】
また、本発明の他の態様のネットワーク管理装置は、リスト要求パケットを端末に送信する送信部と、ネットワーク中継装置が、前記リスト要求パケットを検出した場合に送信する、前記リスト要求パケットを受信した第１ポート及び前記リスト要求パケットを送信した第２ポートの少なくとも一方の接続先の識別情報のリストを受信する受信部と、前記ネットワーク中継装置から受信した前記リストに基づいて、前記ネットワーク管理装置と前記端末との間の経路に寄与するポートを特定する特定部と、を備える。
【０００９】
また、本発明の他の態様のネットワーク中継方法は、各ポートの接続先の識別情報のリストを保持し、ネットワーク管理装置から端末に送信されたリスト要求パケットを検出し、前記リスト要求パケットが検出された場合に、前記リスト要求パケットを受信した第１ポート及び前記リスト要求パケットを送信した第２ポートの少なくとも一方の前記リストを前記ネットワーク管理装置に送信する。
【００１０】
また、本発明の他の態様のネットワーク管理方法は、リスト要求パケットを端末に送信し、ネットワーク中継装置が、前記リスト要求パケットを検出した場合に送信する、前記リスト要求パケットを受信した第１ポート及び前記リスト要求パケットを送信した第２ポートの少なくとも一方の接続先の識別情報のリストを受信し、前記ネットワーク中継装置から受信した前記リストに基づいて、前記ネットワーク管理装置と前記端末との間の経路に寄与するポートを特定する。
【００１１】
また、本発明の他の態様のプログラムは、ネットワーク中継装置のコンピュータを、各ポートの接続先の識別情報のリストを保持する保持部、ネットワーク管理装置から端末に送信されたリスト要求パケットを検出する検出部、及び、前記リスト要求パケットが検出された場合に、前記リスト要求パケットを受信した第１ポート及び前記リスト要求パケットを送信した第２ポートの少なくとも一方の前記リストを前記ネットワーク管理装置に送信する送信部、として機能させる。
【００１２】
また、本発明の他の態様のプログラムは、ネットワーク管理装置のコンピュータを、リスト要求パケットを端末に送信する送信部、ネットワーク中継装置が、前記リスト要求パケットを検出した場合に送信する、前記リスト要求パケットを受信した第１ポート及び前記リスト要求パケットを送信した第２ポートの少なくとも一方の接続先の識別情報のリストを受信する受信部、及び、前記ネットワーク中継装置から受信した前記リストに基づいて、前記ネットワーク管理装置と前記端末との間の経路に寄与するポートを特定する特定部、として機能させる。
【発明の効果】
【００１３】
本発明によれば、経路の把握が容易となる。
【図面の簡単な説明】
【００１４】
【図１】実施形態に係るネットワーク管理システムの構成例を示す図である。
【図２】ネットワーク中継装置のハードウェア構成例を示すブロック図である。
【図３】メモリに保持されたＭＡＣアドレスリストの例を示す図である。
【図４】ネットワーク管理装置の機能構成例を示すブロック図である。
【図５】ネットワーク管理システムの手順例を示すシーケンス図である。
【図６】経路に寄与するポートの特定を説明するための図である。
【図７】経路に寄与するポートの情報の表示例を示す図である。
【図８】ネットワーク管理システムの手順例を示すシーケンス図である。
【図９】ネットワーク管理装置の機能構成例を示すブロック図である。
【図１０】ネットワーク管理システムの手順例を示すシーケンス図である。
【発明を実施するための形態】
【００１５】
以下、本発明の好ましい実施の形態を、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１６】
図１は、実施形態に係るネットワーク管理システム１の構成例を示す図である。ネットワーク管理システム１は、ネットワーク管理装置２、ネットワーク中継装置３Ａ〜３Ｃ、及び端末４を備えている。これらは、ＬＡＮ（ローカルエリアネットワーク）に接続されている。
【００１７】
ネットワーク管理装置２と端末４との間には、ネットワーク中継装置３Ａ〜３Ｃを介してネットワーク通信のための経路が形成されている。端末４は、例えばパーソナルコンピュータであってもよいし、スマートフォン等の携帯型情報端末であってもよい。本例において、ネットワーク管理装置２と端末４とは、識別情報としてＭＡＣアドレス「ＭＡＣ−２」、「ＭＡＣ−４」をそれぞれ有しているものとする。
【００１８】
ネットワーク管理装置２は、ＬＡＮに接続されたネットワーク中継装置３Ａ〜３Ｃを管理する。ネットワーク管理装置５は、例えばパーソナルコンピュータであってもよいし、サーバコンピュータであってもよい。具体的には、ネットワーク管理装置２とネットワーク中継装置３Ａ〜３Ｃとは、ＳＮＭＰ（Simple Network Management Protocol）を使用するＳＮＭＰマネージャとＳＮＭＰエージェントとしてそれぞれ機能する。
【００１９】
本例において、ネットワーク中継装置３Ａ，３Ｂは、スイッチングハブ（レイヤ２スイッチ）であり、複数のポート３１を有している。ネットワーク中継装置３Ｃは、アクセスポイントであり、１つのポート３１と無線通信部３２（無線ポート）とを有している。
【００２０】
したがって、ネットワーク管理装置２と端末４との間の経路のうち、ネットワーク管理装置２とネットワーク中継装置３Ａとの間の区間、ネットワーク中継装置３Ａとネットワーク中継装置３Ｂとの間の区間、及びネットワーク中継装置３Ｂとネットワーク中継装置３Ｃとの間の区間は有線接続され、ネットワーク中継装置３Ｃと端末４との間の区間は無線接続されている。
【００２１】
図２は、ネットワーク中継装置３Ａ，３Ｂのハードウェア構成例を示すブロック図である。ネットワーク中継装置３Ａ，３Ｂは、ＣＰＵ５１、ＲＡＭ等からなるメモリ５２（保持部の例）、ドライバ５３（駆動部の例）、複数のインジケータ５４、複数のトランシーバ６１、スイッチ回路６２、複数の検出回路６３（検出部の例）、及びスイッチ制御部６４を備えている。
【００２２】
複数のトランシーバ６１は、各ポート３１に対応して設けられおり、スイッチ回路６２に接続されている。スイッチ回路６２は、スイッチ制御部６４からの指令に応じて複数のポート３１のうちの一のポート３１と他のポート３１とをブリッジする。複数の検出回路６３は、ポート３１で受信したパケットに含まれる宛先アドレスを検出して、スイッチ制御部６４に通知する。
【００２３】
メモリ５２は、各ポート３１の接続先のＭＡＣアドレスリストを保持している（図３参照）。ＭＡＣアドレスリストは、ポート３１毎のファイルであってもよいし、１つの纏まったファイルであってもよい。スイッチ制御部６４は、メモリ５２が保持するＭＡＣアドレスリストを参照することにより、宛先アドレスと一致するＭＡＣアドレスを含むポート３１を選択する。
【００２４】
ＣＰＵ５１は、ネットワーク管理装置２からの指令に応じた処理を実行する処理部である。具体的には、ＣＰＵ５１は、ＳＮＭＰエージェントとして機能するためのプログラムを実行している。これにより、ネットワーク中継装置３Ａ，３Ｂは、ＳＮＭＰエージェントとしての機能を有する所謂インテリジェントハブとなり、ネットワーク管理装置２とのＩＰ通信が可能となる。
【００２５】
検出回路６３は、ポート３１を通過する特定のパケットを検出する機能も有しており、後述するリスト要求パケットを検出すると、スイッチ制御部６４を介してＣＰＵ５１に検出信号を出力する。
【００２６】
複数のインジケータ５４は、ＬＥＤ等の発光素子を含み、各ポート３１に対応して設けられている。ドライバ５３は、各ポート３１の通信状態に応じて各インジケータ５４を点灯又は点滅させる。また、後述する表示指令を受信した場合には、ドライバ５３は、指定されたインジケータ５４を点灯又は点滅させる。
【００２７】
なお、ネットワーク中継装置３Ｃも、ネットワーク中継装置３Ａ，３Ｂと同様に、接続先のＭＡＣアドレスリストをメモリに保持するとともに、ＳＮＭＰエージェントとしての機能を有する。
【００２８】
以下、ネットワーク管理システム１において実現される「経路把握」、「経路視覚化」及び「経路診断」の手順について説明する。
【００２９】
［経路把握］
図４は、ネットワーク管理装置２において実現される機能構成のうち、「経路把握」に係る機能構成例を示すブロック図である。ネットワーク管理装置２は、ＣＰＵ、ＲＡＭ、ＲＯＭ、不揮発性メモリ及び入出力インターフェース等を含む制御部２０を備えている。制御部２０は、パケット生成部２１、送信部２２、受信部２３、ポート特定部２４、及び表示制御部２５を備えている。
【００３０】
これらの機能部は、制御部２０のＣＰＵがＲＯＭ又は不揮発性メモリからＲＡＭにロードされたプログラムに従って情報処理を実行することにより実現する。プログラムは、例えば光ディスク又はメモリカード等の情報記憶媒体を介して供給されてもよいし、例えばインターネット等の通信ネットワークを介して供給されてもよい。
【００３１】
図５は、ネットワーク管理システム１の「経路把握」に係る手順例を示すシーケンス図である。
【００３２】
まず、ネットワーク管理装置２は、リスト要求パケットを生成し、端末４に送信する（Ｓ１１、図４のパケット生成部２１及び送信部２２としての処理）。ネットワーク管理装置２は、端末４のＩＰアドレスを指定してリスト要求パケットを送信する。送信されたリスト要求パケットは、ネットワーク管理装置２と端末４との間の経路上に配置されたネットワーク中継装置３Ａ〜３Ｃを経由して端末４に到達する。端末４は、リスト要求パケットを受信するとネットワーク管理装置２に返答する（Ｓ４１）。
【００３３】
リスト要求パケットは、ネットワーク管理装置２と端末４との間の経路上に配置されたネットワーク中継装置３Ａ〜３ＣにＭＡＣアドレスリストを要求するためのパケットである。リスト要求パケットは、リスト要求パケットであることを表す所定の文字列を含んでおり、ネットワーク中継装置３Ａ〜３Ｃによる検出を可能としている。
【００３４】
各ネットワーク中継装置３Ａ〜３Ｃは、リスト要求パケットの通過を検出すると（Ｓ３１）、ネットワーク管理装置２にＭＡＣアドレスリストを送信する（Ｓ３２、送信部としての処理）。ここでは、リスト要求パケットを受信した受信側ポートのＭＡＣアドレスリストと、リスト要求パケットを送信した送信側ポートのＭＡＣアドレスリストとの両方がネットワーク管理装置２に送信される。これに限らず、受信側ポート及び送信側ポートの一方のＭＡＣアドレスリストのみが送信されてもよい。
【００３５】
具体的には、各ネットワーク中継装置３Ａ〜３Ｃは、検出回路６３（図２参照）によりリスト要求パケットの通過を検出すると、例えばＳＮＭＰの Trap コマンドを使用してＭＡＣアドレスリストをネットワーク管理装置２のＩＰアドレスを指定して送信する。
【００３６】
ネットワーク管理装置２は、各ネットワーク中継装置３Ａ〜３Ｃから送信されたＭＡＣアドレスリストを受信する（図４の受信部２３としての処理）。
【００３７】
次に、ネットワーク管理装置２は、各ネットワーク中継装置３Ａ〜３Ｃから受信したＭＡＣアドレスリストに基づいて、ネットワーク管理装置２と端末４との間の経路に寄与するポートを特定する（Ｓ１２、図４のポート特定部２４としての処理）。ネットワーク管理装置２と端末４との間の経路に寄与するポートとは、ネットワーク管理装置２と端末４との間でパケットを送受信するときにパケットが通過するポートである。
【００３８】
図６は、各ネットワーク中継装置３Ａ〜３Ｃから受信したＭＡＣアドレスリストに基づく、経路に寄与するポートの特定を説明するための図である。「Ｆｒｏｍ」側が受信側ポートのＭＡＣアドレスリストに相当し、「Ｔｏ」側が送信側ポートのＭＡＣアドレスリストに相当する。
【００３９】
受信側ポートのＭＡＣアドレスリストには、ネットワーク管理装置２のＭＡＣアドレス「ＭＡＣ−２」が含まれ、送信側ポートのＭＡＣアドレスリストには、端末４のＭＡＣアドレス「ＭＡＣ−４」が含まれるので、これにより、各ネットワーク中継装置３Ａ〜３Ｃの受信側ポートと送信側ポートとを特定することができる。
【００４０】
図示の例では、ネットワーク管理装置２がネットワーク中継装置３Ａの１番ポートに接続され、ネットワーク中継装置３Ａの７番ポートがネットワーク中継装置３Ｂの１番ポートに接続され、ネットワーク中継装置３Ｂの８番ポートがネットワーク中継装置３Ｃの有線ポートに接続され、ネットワーク中継装置３Ｃの無線ポートが端末４に接続された場合を表している。
【００４１】
なお、受信側ポートのＭＡＣアドレスリストと送信側ポートのＭＡＣアドレスリストとを取得する態様に限らず、例えば全てのポートのＭＡＣアドレスリストを取得し、その中からネットワーク管理装置２のＭＡＣアドレスを含むものと端末４のＭＡＣアドレスを含むものとを抽出することで、受信側ポートと送信側ポートとを特定してもよい。
【００４２】
また、例えば受信側ポートのＭＡＣアドレスリストのみを取得し、受信側ポートのみを特定してもよいし、送信側ポートのＭＡＣアドレスリストのみを取得し、送信側ポートのみを特定してもよい。ネットワークケーブルの一端が接続されたポートが分かれば、ユーザはそのネットワークケーブルを辿ることで他端が接続されたポートも把握できる。
【００４３】
図５の説明に戻り、ネットワーク管理装置２は、上記Ｓ１２において特定された経路に寄与するポートの情報を、表示装置２６（図４参照）に表示する（Ｓ１３、図４の表示制御部２５としての処理）。
【００４４】
図７は、経路に寄与するポートの情報を表す表示画像１００の例を示す図である。表示画像１００は、ネットワーク管理装置２、ネットワーク中継装置３Ａ〜３Ｃ、及び端末４をそれぞれ表す、階層順に並んだ管理装置画像１０２、中継装置画像１０３Ａ〜１０３Ｃ、及び端末画像１０４を含んでいる。中継装置画像１０３Ａ〜１０３Ｃは、ポート３１を表すポート画像１０５を含んでいる。
【００４５】
管理装置画像１０２と中継装置画像１０３Ａとの間、中継装置画像１０３Ａと中継装置画像１０３Ｂとの間、及び中継装置画像１０３Ｂと中継装置画像１０３Ｃとの間には、有線接続を表すケーブル画像１０６がそれぞれ配置されている。また、中継装置画像１０３Ｃと端末画像１０４との間には、無線接続を表す無線画像１０７が配置されている。
【００４６】
また、中継装置画像１０３Ａ〜１０３Ｃの側方には、ネットワーク中継装置３Ａ〜３Ｃ名称等の機器情報を表す機器情報文字列１０８と、ネットワーク管理装置２と端末４との間の経路に使用されているポートを表すポート情報文字列１０９とが配置されている。
【００４７】
ポート情報文字列１０９とケーブル画像１０６とは、上記Ｓ１２において特定された経路に寄与するポートの情報に基づいて生成される。ポート情報文字列１０９は、受信側ポートのポート番号と送信側ポートのポート番号とを含んでいる。ケーブル画像１０６の端部は、受信側ポート又は送信側ポートに相当するポート画像１０５上に位置するように設けられている。
【００４８】
このように、経路に寄与するポートの情報を表示することにより、ユーザはネットワーク管理装置２と端末４との間の経路を容易に把握することが可能である。
【００４９】
［経路視覚化］
図８は、ネットワーク管理システム１の「経路視覚化」に係る手順例を示すシーケンス図である。
【００５０】
ネットワーク管理装置２は、経路に寄与するポートの情報に基づいて、ネットワーク中継装置３Ａ，３Ｂに経路に寄与するポートに対応するインジケータ５４（図２参照）を点灯又は点滅させるための表示指令を送信する（Ｓ１４）。ネットワーク管理装置２は、例えばＳＮＭＰの SetRequest コマンドを使用して、表示指令をネットワーク管理装置２のＩＰアドレスを指定して送信する。
【００５１】
ネットワーク中継装置３Ａ，３Ｂは、表示指令を受信すると、指定されたインジケータ５４を点灯又は点滅させる（Ｓ３４）。上記図６及び図７の例では、ネットワーク中継装置３Ａには１番ポート及び７番ポートに対応するインジケータ５４の表示指令が送信され、ネットワーク中継装置３Ｂには１番ポート及び８番ポートに対応するインジケータ５４の表示指令が送信される。
【００５２】
このように、ネットワーク中継装置３Ａ，３Ｂに経路に寄与するポートに対応するインジケータ５４を点灯又は点滅させることにより、ユーザはネットワーク管理装置２と端末４との間の経路を視覚的に容易に把握することが可能である。
【００５３】
［経路診断］
図９は、ネットワーク管理装置２において実現される機能構成のうち、「経路診断」に係る機能構成例を示すブロック図である。制御部２０は、全体レート取得部２７、区間レート取得部２８、及び転送レート比較部２９を備えている。これらの機能部は、制御部２０のＣＰＵがＲＯＭ又は不揮発性メモリからＲＡＭにロードされたプログラムに従って情報処理を実行することにより実現する。
【００５４】
図１０は、ネットワーク管理システム１の「経路診断」に係る手順例を示すシーケンス図である。
【００５５】
まず、ネットワーク管理装置２は、ネットワーク管理装置２と端末４との間でループバックテストを行い（Ｓ１５）、ネットワーク管理装置２と端末４との間の経路の全体のデータ転送レートを取得する（Ｓ１６、図９の全体レート取得部２７としての処理）。ループバックテストは、ＩＰベースの通信プロトコル（ＴＣＰ，ＵＤＰ，ＩＣＭＰ，ＡＲＰ，ＲＡＲＰ等）を使用して行われる。
【００５６】
次に、ネットワーク管理装置２は、ネットワーク管理装置２と端末４との間の経路の各区間のデータ転送レートの測定を要求するための測定要求を、各ネットワーク中継装置３Ａ〜３Ｃに送信する（Ｓ１７）。各ネットワーク中継装置３Ａ〜３は、測定要求を受信すると、経路に寄与するポートの接続先との間の区間のデータ転送レートをケーブルテスト機能により測定し（Ｓ３５）、ネットワーク管理装置２に送信する（Ｓ３６）。
【００５７】
これにより、ネットワーク管理装置２は、ネットワーク管理装置２と端末４との間の経路の各区間のデータ転送レートを取得する（Ｓ１８、図９の区間レート取得部２８としての処理）。ネットワーク管理装置２による測定要求の送信は、例えばＳＮＭＰの GetRequest コマンドを使用して行われ、各ネットワーク中継装置３Ａ〜３によるデータ転送レートの送信は、例えばＳＮＭＰの GetResponse コマンドを使用して行われる。
【００５８】
上記図６及び図７の例では、ネットワーク中継装置３Ａは、ネットワーク管理装置２とネットワーク中継装置３Ａの１番ポートとの間の区間のデータ転送レート、及びネットワーク中継装置３Ａの７番ポートとネットワーク中継装置３Ｂの１番ポートとの間の区間のデータ転送レートを測定する。
【００５９】
また、ネットワーク中継装置３Ｂは、ネットワーク中継装置３Ａの７番ポートとネットワーク中継装置３Ｂの１番ポートとの間の区間のデータ転送レート、及びネットワーク中継装置３Ｂの８番ポートとネットワーク中継装置３Ｃの有線ポートとの間の区間のデータ転送レートを測定する。
【００６０】
また、ネットワーク中継装置３Ｃは、ネットワーク中継装置３Ｂの８番ポートとネットワーク中継装置３Ｃの有線ポートとの間の区間のデータ転送レート、及びネットワーク中継装置３Ｃと端末４との間の区間のデータ転送レートを測定する。なお、重複する区間については、何れか一方が測定するようにしてもよい。
【００６１】
次に、ネットワーク管理装置２は、上記Ｓ１６で取得した全体のデータ転送レートと、上記Ｓ１８で取得した各区間のデータ転送レートとを比較する（Ｓ１９、図９の転送レート比較部２９としての処理）。全体のデータ転送レートは、各区間のうち最も遅い区間のデータ転送レートと同程度となるため、当処理によって、ボトルネックとなっている区間（特に、経路全体の通信が不調である場合にその原因となっている区間）を探索することが可能である。
【符号の説明】
【００６２】
１  ネットワーク管理システム、２  ネットワーク管理装置、２０  制御部、２１  パケット生成部、２２  送信部、２３  受信部、２４  ポート特定部、２５  表示制御部、２６  表示装置、２７  全体レート取得部、２８  区間レート取得部、２９  転送レート比較部、３  ネットワーク中継装置、３１  ポート、３２  無線通信部、４  端末、５１  ＣＰＵ、５２  メモリ、５３  ドライバ、５４  インジケータ、６１  トランシーバ、６２  スイッチ回路、６３  検出回路、６４  スイッチ制御部、１００  画像、１０２  管理装置画像、１０３  中継装置画像、１０４  端末画像、１０５  ポート画像、１０６  ケーブル画像、１０７  無線画像、１０８  機器情報文字列、１０９  ポート情報文字
【図１】
2019213048.tif 000003
【図２】
2019213048.tif 000004
【図３】
2019213048.tif 000005
【図４】
2019213048.tif 000006
【図５】
2019213048.tif 000007
【図６】
2019213048.tif 000008
【図７】
2019213048.tif 000009
【図８】
2019213048.tif 000010
【図９】
2019213048.tif 000011
【図１０】
2019213048.tif 000012